(57)【要約】【課題】ネット受けレールを洗浄時死角がない状態で、隅々まで洗浄することができ、また、ネット受けレールが洗浄の邪魔にならないようにして、コンベアネット、それに周辺機器やコンベアフレーム等を十分に洗浄することができるようにしたコンベアネットのネット受けレール取付構造の提供。【解決手段】コンベアネット４の裏面を下から支持するネット受けレール５が、コンベアフレーム２に取り付けられたレール受け部材６に着脱可能に取り付けられている。【選択図】　　　図３
2004115142.tif 000002
【特許請求の範囲】
【請求項１】
コンベアネットの裏面を下から支持するネット受けレールと、
コンベアフレームに取り付けられたレール受け部材を備え、
前記ネット受けレールがレール受け部材に取り付けられているコンベアネットのネット受けレール取付構造において、
前記ネット受けレールがレール受け部材に着脱可能に取り付けられていることを特徴としたコンベアネットのネット受けレール構造。
【請求項２】
請求項１記載のネット受けレール取付構造において、前記レール受け部材がコンベアフレームに着脱可能に取り付けられていることを特徴としたコンベアネットのネット受けレール取付構造。
【発明の詳細な説明】
【０００１】
【発明の属する技術分野】
本発明は、例えば、食品を搬送するために用いられるネットコンベアにおいて、コンベアネットを下から支持するために設けられたネット受けレールの取り付け構造に関する。
【０００２】
【従来の技術】
連続製造される高温度食品（例えばテンプラ等）を遅滞なく冷却していくための装置としてマルチフリーザが知られている（特許文献１参照）。
【０００３】
【特許文献１】
特開平０９−０５１７８８号公報
【０００４】
このマルチフリーザは、搬送コンベアを覆う部分を冷却路としたトンネル状の冷却庫内に冷却ユニットを配設し、搬送コンベアによって一端側から導入した高温度の食品に冷却ユニットから冷風を吹付けて冷却するようになっている。
【０００５】
このようなマルチフリーザでは、冷却ユニットからの冷風を食品に確実に吹付けるために、搬送コンベアとして通気性に優れたネットコンベアを用いる必要がある。
このネットコンベアでは、ベルト部材としてコンベアネットが用いられるが、コンベアネットの垂みを防止させるために、コンベアフレームにレール受け部材を取り付け、このレール受け部材にネット受けレールを取り付けて、このネット受けレールでコンベアネットの裏面を下から支えるようになっている。
この場合、前記ネット受けレールの取り付け構造は、レール受け部材に溶接等で一体に固定され、また、レール受け部材についても、ボルト等でコンベアフレームに固定されていた。
【０００６】
【発明が解決しようとする課題】
食品の搬送用等、衛生的に使用する必要があるネットコンベアについては、コンベアネットは勿論のこと、その周辺機器やコンベアフレーム等を自動洗浄なり手動洗浄で、これをきれいに洗浄することが要求される。
しかしながら、従来のように、ネット受けレールが固定されていると、このネット受けレールの直ぐ上にコンベアネットがあるため、ネット受けレールに洗浄時死角が生じる。
また、ネット受けレールが固定されていると、特にマルチフリーザのように、ネットコンベアをトンネル状の冷却庫に設けたような場合には、ネット受けレールが邪魔になり、各部の洗浄が不十分になりやすい。
このように、従来では、ネット受けレールが固定されていたため、ネット受けレールに洗浄時死角が生じたり、ネット受けレールが邪魔になったりする結果、洗浄が十分になり、菌の発生等、衛生面での安全を確保し難いという問題があった。
【０００７】
なお、ネット受けレールをレール受け部材ごと一体に着脱しようにすると、レール受け部材をコンベアフレームに固定しているボルト等を工具を用いて取り外したり、取り付けたりする必要が生じ、作業に手間がかかる。
また、ネット受けレールとレール受け部材を一体のまま取り外すことになるため、その形状や重量が大きくなり、作業に手間がかかるという問題が生じる。
【０００８】
本発明は、かかる従来の問題を解決するためになされたもので、ネット受けレールを単体で、しかも簡単に取り外したり、取り付けたりすることができるようにする。
これにより、ネット受けレールを洗浄時死角がない状態で、隅々まで洗浄することができ、また、ネット受けレールが洗浄の邪魔にならないようにして、コンベアネット、それに周辺機器やコンベアフレーム等を十分に洗浄することができるようにしたコンベアネットのネット受けレール取付構造を提供することを第１の課題としている。
【０００９】
加えて、レール受け部材を単体で、しかも簡単に取り外したり、取り付けたりすることができるようにする。
これにより、レール受け部材を洗浄時死角がない状態で、隅々まで洗浄することができ、また、コンベアネット、それに周辺機器やコンベアフレーム等を十分に洗浄することができるようにしたコンベアネットのネット受けレール取付構造を提供することを第２の課題としている。
【００１０】
【課題を解決するための手段】
前記第１の課題を解決するために、本発明のコンベアネットのネット受けレール取付構造（請求項１）は、
コンベアネットの裏面を下から支持するネット受けレールと、コンベアフレームに取り付けられたレール受け部材を備え、前記ネット受けレールがレール受け部材に取り付けられているコンベアネットのネット受けレール取付構造において、
前記ネット受けレールがレール受け部材に着脱可能に取り付けられている構成とした。
【００１１】
又、前記第２の課題を解決するために、本発明のコンベアネットのネット受けレール取付構造（請求項２）は、前記ネット受けレール取付構造（請求項１）において、前記レール受け部材がコンベアフレームに着脱可能に取り付けられている構成とした。
【００１２】
【発明の実施の形態】
以下、本発明の実施の形態を図面に示す実施例により説明する。
図１は本発明の実施例であるネット受けレール取付構造を備えたネットコンベアの平面図、図２はそのネットコンベアの側面図である。
又、図３〜図８はネット受けレール取付構造の要部を示すもので、図３は図１のＡ部を示す斜視図、図４は図３のＸ−Ｘ矢視図、図５は図１のＢ部を示す斜視図、図６は図５の平面図、図７は図１のＣ部を示す斜視図、図８は図７の平面図である。
又、図９はレール受け部材の取付構造を示す平面図、図１０はその正面図である。
【００１３】
図１及び図２において、１はネットコンベアで、庫内に冷却ユニット（図示省略）を配設したトンネル状の冷却庫９内に配設されている。
このネットコンベア１は、左右のコンベアフレーム２，２間に、駆動モータ３に連結された駆動側ローラ３０と、従動側ローラ３１が軸支され、この駆動側ローラ３０と従動側ローラ３１の間にコンベアネット４が掛け回されている。
【００１４】
前記コンベアネット４の裏面側には、このコンベアネット４を下から支持するネット受けレール５と、前記コンベアフレーム２に取り付けられたレール受け部材６が設けられている。
【００１５】
前記ネット受けレール５は、コンベアネット４の移行方向に延長した合成樹脂製の丸棒（角棒でも可）で形成され、その中程部及び両端部において、レール受け部材６に着脱可能に取り付けられている。
なお、この実施例では、ネット受けレール５は、コンベアネット４の幅方向に５列、コンベアネット４の移行方向に２列の合計１０本が設けられている。
【００１６】
前記レール受け部材６は、コンベアネット４の幅方向に延長した合成樹脂製の丸棒（角棒でも可）で形成され、各ネット受けレールの端部を取り付ける３本の端部用レール受け部材６ａと、このレール受け部材６ａ，６ａの間に配設されて各ネット受けレール５の中程部を取り付ける２本の中程用レール受け部材６ｂ，６ｂとの合計５本が設けられている。なお、３本の端部用レール受け部材のうち、中央部のレール受け部材６ａは、コンベアネットの移行方向に配設した２列のネット受けレール５，５が連続するように、そのネット受けレール５，５の端部を取り付ける共通端部用レール受け部材６ａ−１となっている。
【００１７】
まず、ネット受けレール５の中程部と、中程レール受け部材６ｂとの取り付け構造は、図３及び図４に示すように、中程レール受け部材６ｂの上面に、ネット受けレール５の直径よりもやや広い間隔で２枚の側部支持板６０，６０が固定され、この側部支持板６０，６０間にネット受けレール５の中程を上から嵌め込むことで、着脱可能にした取り付け構造になっている。
これにより、ネット受けレール５がコンベアネット４の幅方向にズレ動くのを防止することができる。
なお、前記側部支持板６０，６０は、中程レール受け部材６ｂの上面に形成した溝６９，６９に溶接することで固定されている。
【００１８】
次に、ネット受けレール５の端部と、端部用レール受け部材６ａとの取り付け構造は、図５及び図６に示すように、端部用レール受け部材６ａの上面に、ネット受けレール５の直径よりもやや広い間隔で２枚の側部支持板６０，６０が溝６９に溶接することで固定されると共に、この側部支持板６０，６０の一端間を端部支持板６１で連結し、この側部支持板６０，６０と端部支持板６１とで囲まれる空間にネット受けレール５の端部を上から嵌め込むことで、着脱可能にした取り付け構造になっている。
これにより、ネット受けレール５がコンベアネット４の幅方向及び移行方向にズレ動くのを防止することができる。
【００１９】
又、ネット受けレール５の端部と、共通端部用レール受け部材６ａ−１との取り付け構造は、図７及び図８に示すように、共通端部用レール受け部材６ａ−１の上面に、ネット受けレール５の直径よりもやや広い間隔で３枚の側部支持板６０，６０，６０が溝に溶接することで固定されると共に、２枚の側部支持板６０，６０の一端間及び他端間を端部支持板６１，６１で連結し、この側部支持板６０，６０と端部支持板６１とで囲まれる空間にネット受けレール５の端部を上から嵌め込むことで、着脱可能にした取り付け構造になっている。
これにより、ネット受けレール５がコンベアネット４の幅方向及び移行方向にズレ動くのを防止することができるし、コンベアネット４の移行方向に配設した２列のネット受けレール５，５を切れ目なく連続させることができる。
【００２０】
又、レール受け部材６に取り付けた状態のネット受けレール５の上端レベルは、前記各側部支持板６０及び端部支持板６１の上端レベルよりも上方になるように設定されている。これにより、レール受け部材６をコンベアネット４の裏面に直に当接させて、これを支持させながら、側部支持板６０及び端部支持板６１がコンベアネット４の裏面に干渉しないようにさせている。
なお、ネット受けレール５の端部には、端部に向けて次第に小径にしたテーパ部５０が形成され、ネット受けレール５の端部を取り付けた状態で、テーパ部５０先端の上端レベルが側部支持板６０及び端部支持板６１の上端レベルと同一か下方になるように設定されている。これにより、ネット受けレール５の端部がコンベアネット４の裏面に引っ掛かることを防止している。
【００２１】
次に、前記各レール受け部材６の取付構造を説明する。
前記各レール受け部材６は、図３、図９及び図１０に示すように、その両端がコンベアフレーム２にブラケット２０を介して着脱可能に取り付けられている。
前記ブラケット２０は、コンベアフレーム２にボルト２１、ナット２２により固定され、このブラケット２０の中央部に形成した内向きの突出部２３に上端から切欠部２４が形成されている。
又、レール受け部材６の端部両側に垂直平面部６８，６８が形成され、この垂直平面部６８，６８の間隔よりも前記切欠部２４の切欠幅をやや広く形成して、この切欠部２４内に前記垂直平面部６８，６８を上から嵌め込むことで、着脱可能にした取り付け構造になっている。
このように、切欠部２４内に前記垂直平面部６８，６８を嵌め込む構造であるため、レール受け部材６の回転を規制することができる。これにより、レール受け部材６の上面に固定した前記側部支持板６０及び端部支持板６１を適正な上向き姿勢に確実かつ簡単に位置決めさせることができる。
【００２２】
従って、ネットコンベア１の洗浄に際し、ネット受けレール５を下側から持ち上げて、側部支持板６０及び端部支持板６１から外していけば、それだけの簡単な手間でネット受けレール５を単体でレール受け部材６から取り外すことができる。
又、レール受け部材６についても、これを下側から持ち上げて、ブラケット２０の切欠部２３から外していけば、それだけの簡単な手間でレール受け部材６を単体でコンベアフレーム２から取り外すことができる。
【００２３】
なお、本発明において、ネット受けレールの本数、即ち、コンベアネットの幅方向の列数、コンベアネットの移行方向の列数、又、レール受け部材の本数は、コンベアネットの幅や長さに応じて適宜に設定することができる。
又、本発明のネット受けレール取付構造は、マルチフリーザ用の冷却庫内に配設したネットコンベアだけに適用するものではなく、コンベアネットを備えた通常の搬送用ネットコンベアに適用できるのは勿論である。
【００２４】
【発明の効果】
以上説明してきたように本発明のネット受けレール取付構造（請求項１）にあっては、ネット受けレールを単体で、しかも簡単に取り外したり、取り付けたりすることができる。
これにより、ネット受けレールを洗浄時死角がない状態で、隅々まで洗浄することができ、また、ネット受けレールが洗浄の邪魔にならないようにして、コンベアネット、それに周辺機器やコンベアフレーム等を十分に洗浄することができる。
【００２５】
又、本発明のネット受けレール取付構造（請求項２）にあっては、レール受け部材を単体で、しかも簡単に取り外したり、取り付けたりすることができる。
これにより、レール受け部材を洗浄時死角がない状態で、隅々まで洗浄することができ、また、コンベアネット、それに周辺機器やコンベアフレーム等を十分に洗浄することができる。
【図面の簡単な説明】
【図１】本発明の実施例であるネット受けレール取付構造を備えたネットコンベアの平面図である。
【図２】このネットコンベアの側面図である。
【図３】図１のＡ部を示す斜視図である。
【図４】図３のＸ−Ｘ矢視図である。
【図５】図１のＢ部を示す斜視図である。
【図６】図５の平面図である。
【図７】図１のＣ部を示す斜視図である。
【図８】図７の平面図である。
【図９】レール受け部材の取付構造を示す平面図である。
【図１０】そのレール受け部材の取付構造を示す正面図である。
【符号の説明】
１　　ネットコンベア
２　　コンベアフレーム
２０　ブラケット
２１　ボルト
２２　ナット
２３　突出部
２４　切欠部
３　　駆動モータ
３０　駆動側ローラ
３１　従動側ローラ
４　　コンベアネット
５　　ネット受けレール
５０　テーパ部
６　　レール受け部材
６ａ　端部用レール受け部材
６ａ−１　共通端部用レール受け部材
６ｂ　中程部用レール受け部材
６０　側部支持板
６１　端部支持板
６８　垂直平面部
６９　溝
９　　冷却庫
【図１】
2004115142.tif 000003
【図２】
2004115142.tif 000004
【図３】
2004115142.tif 000005
【図４】
2004115142.tif 000006
【図５】
2004115142.tif 000007
【図６】
2004115142.tif 000008
【図７】
2004115142.tif 000009
【図８】
2004115142.tif 000010
【図９】
2004115142.tif 000011
【図１０】
2004115142.tif 000012